【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
複数の辞書毎に見出し語に対応した説明情報を記憶する複数辞書記憶手段と、
この複数辞書記憶手段により記憶された複数の辞書のそれぞれに対応付けて、ジャンプ検索対象文字の文字種毎のメインのジャンプ先辞書とサブのジャンプ先辞書を設定するジャンプ先辞書設定手段と、
前記複数辞書記憶手段により記憶された複数の辞書のうち検索の元となる任意の辞書をユーザ操作に応じて指定する元辞書指定手段と、
検索対象文字をユーザ操作に応じて入力する検索文字入力手段と、
この検索文字入力手段により入力された検索対象文字に対応して前記元辞書指定手段により指定された検索元辞書における見出し語を検索し、当該検索された見出し語に対応した説明情報を同検索元辞書から読み出して表示させる検索情報表示制御手段と、
この検索情報表示制御手段により表示された見出し語説明情報に基づきジャンプ検索対象文字をユーザ操作に応じて指定するジャンプ検索文字指定手段と、
メインのジャンプ先辞書又はサブのジャンプ先辞書のいずれかをユーザ操作に応じて指定するジャンプ先辞書指定手段と、
前記元辞書指定手段により指定された検索元辞書と、前記ジャンプ検索文字指定手段により指定されたジャンプ検索対象文字の文字種とに対応し、前記ジャンプ先辞書指定手段により指定された種類のジャンプ先辞書を、前記ジャンプ先辞書設定手段から読み出して決定するジャンプ先辞書決定手段と、
前記ジャンプ先辞書決定手段により決定されたジャンプ先辞書から前記ジャンプ検索対象文字に対応する見出し語を検索し、当該検索された見出し語に対応した説明情報を同ジャンプ先辞書から読み出して表示させるジャンプ検索情報表示制御手段と、
を備えたことを特徴とする辞書情報表示制御装置。
【請求項２】
前記ジャンプ先辞書設定手段は、前記複数辞書記憶手段により記憶された複数の辞書のそれぞれに対応付けて、ジャンプ検索対象文字の文字種毎のメインのジャンプ先辞書とサブのジャンプ先辞書をユーザ操作に応じて設定することを特徴とする請求項１に記載の辞書情報表示制御装置。
【請求項３】
前記ジャンプ検索情報表示制御手段は、
前記ジャンプ検索対象文字に対応して前記メインのジャンプ先辞書から複数の見出し語が検索された場合に、この検索された複数の見出し語を一覧表示させ、任意の見出し語をユーザ操作に応じて選択指定表示させるメインジャンプ見出し語一覧表示制御手段と、
このメインジャンプ見出し語一覧表示制御手段により選択指定表示された見出し語に対応した説明情報を前記メインのジャンプ先辞書から読み出して表示させる選択見出し語対応メインジャンプ検索情報表示制御手段と、
前記ジャンプ検索対象文字に対応して前記サブのジャンプ先辞書から複数の見出し語が検索された場合に、この検索された複数の見出し語を一覧表示させ、任意の見出し語をユーザ操作に応じて選択指定表示させるサブジャンプ見出し語一覧表示制御手段と、
このサブジャンプ見出し語一覧表示制御手段により選択指定表示された見出し語に対応した説明情報を前記サブのジャンプ先辞書から読み出して表示させる選択見出し語対応サブジャンプ検索情報表示制御手段とを有する、
ことを特徴とする請求項１または請求項２に記載の辞書情報表示制御装置。
【請求項４】
前記メインジャンプ見出し語一覧表示制御手段により任意の見出し語が選択指定表示された状態で前記ジャンプ先辞書指定手段によりサブ辞書が指定されると、前記元辞書指定手段により指定された検索元辞書と、前記選択指定表示された見出し語の文字種とに対応するサブ辞書を前記ジャンプ先辞書設定手段から読み出して決定する再ジャンプ先辞書決定手段と、
前記再ジャンプ先辞書決定手段により決定されたジャンプ先辞書から前記選択指定表示された見出し語に対応する見出し語を検索し、当該検索された見出し語に対応した説明情報を同ジャンプ先辞書から読み出して表示させる再ジャンプ検索情報表示制御手段と、
をさらに備えたことを特徴とする請求項３に記載の辞書情報表示制御装置。
【請求項５】
コンピュータを、
複数の辞書毎に見出し語に対応した説明情報を記憶する複数辞書記憶手段、
この複数辞書記憶手段により記憶された複数の辞書のそれぞれに対応付けて、ジャンプ検索対象文字の文字種毎のメインのジャンプ先辞書とサブのジャンプ先辞書を設定するジャンプ先辞書設定手段、
前記複数辞書記憶手段により記憶された複数の辞書のうち検索の元となる任意の辞書をユーザ操作に応じて指定する元辞書指定手段、
検索対象文字をユーザ操作に応じて入力する検索文字入力手段、
この検索文字入力手段により入力された検索対象文字に対応して前記元辞書指定手段により指定された検索元辞書における見出し語を検索し、当該検索された見出し語に対応した説明情報を同検索元辞書から読み出して表示させる検索情報表示制御手段、
この検索情報表示制御手段により表示された見出し語説明情報に基づきジャンプ検索対象文字をユーザ操作に応じて指定するジャンプ検索文字指定手段、
メインのジャンプ先辞書又はサブのジャンプ先辞書のいずれかをユーザ操作に応じて指定するジャンプ先辞書指定手段、
前記元辞書指定手段により指定された検索元辞書と前記ジャンプ検索文字指定手段により指定されたジャンプ検索対象文字の文字種とに対応し、前記ジャンプ先辞書指定手段により指定された種類のジャンプ先辞書を、前記ジャンプ先辞書設定手段から読み出して決定するジャンプ先辞書決定手段、
前記ジャンプ先辞書決定手段により決定されたジャンプ先辞書から前記ジャンプ検索対象文字に対応する見出し語を検索し、当該検索された見出し語に対応した説明情報を同ジャンプ先辞書から読み出して表示させるジャンプ検索情報表示制御手段、
として機能させるようにした辞書情報表示制御プログラム。
【手続補正２】
【補正対象書類名】明細書
【補正対象項目名】００１０
【補正方法】変更
【補正の内容】
【００１０】
本発明の請求項１（請求項５）に記載の辞書情報表示制御装置（辞書情報表示制御プログラム）では、複数の辞書毎に見出し語に対応した説明情報を記憶する複数辞書記憶手段と、この複数辞書記憶手段により記憶された複数の辞書のそれぞれに対応付けて、ジャンプ検索対象文字の文字種毎のメインのジャンプ先辞書とサブのジャンプ先辞書を設定するジャンプ先辞書設定手段と、前記複数辞書記憶手段により記憶された複数の辞書のうち検索の元となる任意の辞書をユーザ操作に応じて指定する元辞書指定手段と、検索対象文字をユーザ操作に応じて入力する検索文字入力手段と、この検索文字入力手段により入力された検索対象文字に対応して前記元辞書指定手段により指定された検索元辞書における見出し語を検索し、当該検索された見出し語に対応した説明情報を同検索元辞書から読み出して表示させる検索情報表示制御手段と、この検索情報表示制御手段により表示された見出し語説明情報に基づきジャンプ検索対象文字をユーザ操作に応じて指定するジャンプ検索文字指定手段と、メインのジャンプ先辞書又はサブのジャンプ先辞書のいずれかをユーザ操作に応じて指定するジャンプ先辞書指定手段と、前記元辞書指定手段により指定された検索元辞書と前記ジャンプ検索文字指定手段により指定されたジャンプ検索対象文字の文字種とに対応し、前記ジャンプ先辞書指定手段により指定された種類のジャンプ先辞書を、前記ジャンプ先辞書設定手段から読み出して決定するジャンプ先辞書決定手段と、前記ジャンプ先辞書決定手段により決定されたジャンプ先辞書からジャンプ検索対象文字に対応する見出し語を検索し、当該検索された見出し語に対応した説明情報を同ジャンプ先辞書から読み出して表示させるジャンプ検索情報表示制御手段と、を備えたことを特徴とする。
【手続補正３】
【補正対象書類名】明細書
【補正対象項目名】００２０
【補正方法】変更
【補正の内容】
【００２０】
本発明の請求項３に記載の辞書情報表示制御装置では、前記請求項１または請求項２に記載の辞書情報表示制御装置にあって、前記ジャンプ検索情報表示制御手段は、前記ジャンプ検索対象文字に対応して前記メインのジャンプ先辞書から複数の見出し語が検索された場合に、この検索された複数の見出し語を一覧表示させ、任意の見出し語をユーザ操作に応じて選択指定表示させるメインジャンプ見出し語一覧表示制御手段と、このメインジャンプ見出し語一覧表示制御手段により選択指定表示された見出し語に対応した説明情報を前記メインのジャンプ先辞書から読み出して表示させる選択見出し語対応メインジャンプ検索情報表示制御手段と、前記ジャンプ検索対象文字に対応して前記サブのジャンプ先辞書から複数の見出し語が検索された場合に、この検索された複数の見出し語を一覧表示させ、任意の見出し語をユーザ操作に応じて選択指定表示させるサブジャンプ見出し語一覧表示制御手段と、このサブジャンプ見出し語一覧表示制御手段により選択指定表示された見出し語に対応した説明情報を前記サブのジャンプ先辞書から読み出して表示させる選択見出し語対応サブジャンプ検索情報表示制御手段とを有する、ことを特徴とする。
【手続補正４】
【補正対象書類名】明細書
【補正対象項目名】００２２
【補正方法】変更
【補正の内容】
【００２２】
本発明の請求項４に記載の辞書情報表示制御装置では、前記請求項３に記載の辞書情報表示制御装置にあって、前記メインジャンプ見出し語一覧表示制御手段により任意の見出し語が選択指定表示された状態で前記ジャンプ先辞書指定手段によりサブ辞書が指定されると、前記元辞書指定手段により指定された検索元辞書と、前記選択指定表示された見出し語の文字種とに対応するサブ辞書を前記ジャンプ先辞書設定手段から読み出して決定する再ジャンプ先辞書決定手段と、前記再ジャンプ先辞書決定手段により決定されたジャンプ先辞書から前記選択指定表示された見出し語に対応する見出し語を検索し、当該検索された見出し語に対応した説明情報を同ジャンプ先辞書から読み出して表示させる再ジャンプ検索情報表示制御手段と、をさらに備えたことを特徴とする。
【手続補正５】
【補正対象書類名】明細書
【補正対象項目名】００３０
【補正方法】変更
【補正の内容】
【００３０】
本発明の請求項４に記載の辞書情報表示制御装置によれば、前記請求項３に記載の辞書情報表示制御装置にあって、メインのジャンプ先辞書からサブのジャンプ先辞書へ継続したジャンプ検索情報表示が行えるようになる。